(57)【要約】【課題】レンジファインダーカメラにおいて、測距光距や測光回路が撮影者の指などで覆われて、誤った測距結果や測光結果を算出して、それによって失敗写真が撮られることを防止する。【解決手段】測距装置、測光装置が各々独立した受光光学系を備えたカメラで、測距装置の受光素子からの出力信号から被写体の明るさを検出する明るさ検出手段と、測光装置からの明るさ検出手段と、それぞれの明るさに関する情報を比較する手段を有し、その比較結果から測光手段の受光光学系、測距手段の受光光学系のいずれかの光路が遮られたことを検出する検出手段を備え、遮られたことを検出すると警告手段により警告する。【選択図】　　　　図１
2004012497.tif 000002
【特許請求の範囲】
【請求項１】
被写体や其の周囲の明るさを測定する測光手段と、被写体までの距離を測距する測距手段が備える受光素子からの出力信号から被写体付近の明るさに関する信号を得る明るさ検出手段を有するカメラで、測光手段の出力信号と明るさ検出手段の出力信号とを比較し、其の比較結果から測光手段の受光光学系、測距手段の受光光路の何れかが遮られたことを検出する遮光検出手段を備えたことを特徴とする。
【請求項２】
一対の受光素子を備え、各受光素子の出力信号の大きさを比較し、其の比較結果より何れかの受光素子の受光光路が遮られたことを検出する遮光検出手段を備えたことを特徴とする測距装走及びその測距装置を備えたカメラ。
【請求項３】
請求項１、２に述べたカメラで、警告手段を備え、遮光検出手段が測距手段若しくは測光手段の受光光路が遮られたことを検出すると、該警告手段にて警告することを特徴とする。
【請求項４】
請求項３の警告手段はカメラのシャッターレリーズを禁止するもの。
【請求項５】
請求項３の警告手段は発音手段より警告音、音声等を発するもの。
【請求項６】
請求項３の警告手段は表示手段に警告表示を為すもの。
【発明の詳細な説明】
【０００１】
【発明の属する技術分野】
各々独立した受光光路を有する測距装置と測光装置を備えたカメラ等の撮影装置及び一対の受光素子と受光光路を備えた測距装置に関する。
【０００２】
【従来の技術】
独立した受光光路を備えた測距装置や独立した受光光路を備える測光装置を有するカメラ等の撮影装置、一般的にはコンパクトカメラと呼ばれるものでは、ファインダーも独立した光路を備えていて、撮影者はその受光光路から被写体を観測して撮影を行う。従って、例えば撮影者がカメラを構えた時の指先が受光装置の受光光路を遮っていても気付かずにシャッターを切ってしまい、露出が合わない写真となる恐れがある。また、測距装置の受光光路が遮られるとピントがずれた写真となってしまうことになる。
【０００３】
そのような問題に対する対策として、従来は指掛りによる撮影ミスを防止するための手法が提案されていて、例えば特開平７−２１９０１４号公報では「指の接触を検知するタッチセンサーを設け、このタッチセンサーからの検知信号により警告手段を作動させるようにする」ことが提案されている。
【０００４】
【発明が解決しようとする課題】
しかしながら、上記従来例では受光部が遮られることを検出するためのタッチセンサーを複数個カメラに設ける必要があることから、其の為のスペースを用意する必要があり、カメラが其の分大きくなる。また、タッチセンサーのコストが上乗せされることになり、カメラの価格が高くなってしまうことになる。また、タッチセンサーはそのごく近傍に指が在る時には検出可能であるが、例えば車窓から屋外を撮影する際、窓枠が測距装置や測光装置の光路を遮ってしまいピント合わせや露出制御が正確に行われないなど、カメラ本体から離れた所に存在する受光光路を遮る障害物に対しては役立たない。
【０００５】
本発明は上記問題点を鑑みて為されたもので、測距装置や受光装置の光路が遮られたことを専用のセンサー等を用いることなく検出し、警告を行って撮影ミスを防止することにある。
【０００６】
【課題を解決するための手段】
上記目的を達成するため本出願の発明は、被写体や其の周囲の明るさを測定しする測光手段と、被写体までの距離を測距する測距手段が備える受光素子からの出力信号から被写体付近の明るさに関する信号を得る明るさ検出手段を有するカメラで、測光手段の出力信号と明るさ検出手段の出力信号とを比較し、其の比較結果から測光手段の受光光学系、測距手段の受光光路の何れかが遮られたことを検出する遮光検出手段を備えたことである。
【０００７】
【作用】
上記構成により、測距装置で得た被写体の明るさと測光装置で得た被写体の明るさを比較する遮光検出手段の出力信号から、何れかの受光光路が遮られたことを検出することが可能になる。
【０００８】
本出席に係る第二の発明は、独立した受光光路から信号光を得て其の信号光を光電変換する受光素子一対を備え、各受光素子の出力信号の大きさを比較し、其の比較結果より何れかの受光素子の受光光路が遮られたことを検出する遮光検出手段を備えた測距装置若しくは其の測距装置を搭載したカメラ等の撮影装置であるもの。
【０００９】
上記構成で測距装置の一対の受光素子の出力信号の大きさが異なることを検出することにより、何れかの受光素子の受光光路が遮られたことを検出することが可能になる。
【００１０】
本出願に係る第三の発明は、警告手段を備えたカメラで、遮光検出手段が測距手段若しくは測光手段の受光光路が遮られたことを検出すると該警告手段にて警告するものであり、警告手段はカメラのシャッターレリーズを禁止するもの、発音手段より警告音、音声等を発するもの、表示手段に警告表示を為すもの等である。
【００１１】
警告手段で撮影者に警告することにより、測距手段、測光手段の何れかの受光光路が遮られて失敗写真を撮ることを防ぐことが可能となる。
【００１２】
【発明の実施の形態】
（実施形態１）
図１は本発明を具備した３５ｍｍフィルムを用いるカメラの外形を示す。図１において１はそのカメラの前面パネルを示す。２は撮影レンズで其の焦点距離は３８ｍｍであるものとする。
【００１３】
３はシャッターレリーズボタンで、第一のストロークまで押込むとＳＷ１がＯＮ、更に深く第二のストロークまで押込むとＳＷ２がＯＮ状態となる。４はファインダーの対物レンズ、５は測距装置の一対のセンサーアレイのうち右側のセンサーアレイ上に被写体の像を形成する為の受光レンズで６は左側のセンサーアレイ上に被写体の像を形成する為の受光レンズである。何れも焦点距離７．６ｍｍの凸レンズである。７は測光装置の測光素子前面に設置したＡＥ受光レンズで撮影範囲内の適切な領域を測光範囲に設定する焦点距離３．８ｍｍの凸レンズである。
【００１４】
図２は図１に示したカメラのブロック図で、１は図１で説明したようにカメラの前面パネル、５、６は測距装置の受光レンズ、７は測光装置のＡＥ受光レンズである。１０はカメラの動作シーケンスを制御する制御回路で、ＣＰＵと制御ソフトを書込んだマスクＲＯＭ、ＲＡＭ、不揮発性で書換え可能なＥＥＰＲＯＭ等のメモリ回路、更にはＡ／Ｄコンバータ等の周辺回路から成るものであり、本実施例では測距手段が備える受光手段からの信号出力から被写体付近の明るさに関する信号を得る明るさ検出手段及び何れかの受光光路が遣られたことを検出する為の遮光検出手段としても作用する。１１Ｒは測距手段が備える受光素子の一つで撮影者から見て右側に配置されるものである。１１Ｌは同じく測距手段が備える受光素子の一つで左側に配置されるものである。この一対の受光素子上に形成される被写体像の相対的な距離から被写体までの距離を算出する為のものであり、どちらも複数（本実施例では１９個）の光電変換素子と、其の光電変換素子で光電変換された信号電荷を出力端へ転送するための電荷転送手段であるＣＣＤから成るセンサーアレイで、其の光電変換素子部の形状を図３（Ａ）に示す。１２は測光手段を構成する測光素子で形状を図３（Ｂ）に示す。測光素子は３分割されていて、撮影範囲の中央のみの明るさを測光する１２Ｓ、撮影範囲の大半部を測光する１２Ｃ、撮影範囲の周辺部４点を測光するための１２Ｐからなる。測光素子各部の出力信号は独立して取出すことが出来るもので、例えば１２Ｓと１２Ｐから得た被写体の明るさの情報から、中央が暗く周辺部が明るいことを検出して「逆光」と判定させることなどが可能である。１３は一対の受光素子１１Ｒと１１Ｌの信号を受けて被写体までの距離を算出する測距回路で、測距結果は制御回路１０へ伝える。１４は測光素子の信号出力を受けて被写体の明るさを算出する測光回路で、測光結果を制御回路１０へ伝える。１５はレンズ駆動装置で、測距回路１３から得た被写体までの距離に応じて被写体にピントを合わせるよう制御回路１０の指示に基づいて撮影レンズの合焦用レンズを駆動する。１６はシャッター制御装置で、測光回路１４から得た被写体の明るさに応じてフィルムに適正な露光量を与えるよう制御回路１０の指示に基づいて適切なシャッター速度と絞り値でシャッターを駆動する。１７はフィルム給送装置で、制御回路１０の指示に基づいてフィルムの巻上げ、巻戻し動作を行う。１８は表示装置で、液晶などの表示部を備え、そこに制御回路１０の指示に基づいてカメラの状態等の情報を表示する。１９は発音体で、スピーカ等から構成され、制御回路１０の指示に基づき警告音等を発するものである。２０はＳＷ１で、シャッターレリーズボタン３が第一のストロークまで押込まれるとＯＮ状態となる。２１はＳＷ２で、シャッターレリースボタン３が第一のストロークよりも深い第二のストロークまで押込まれるとＯＮ状態となる。２２は電池やＤＣ／ＤＣコンバータより構成される電源回路で、制御回路１０や其の他の回路に所定の電圧、電流を供給する。
【００１５】
本構成のカメラの測距回路１３は、一般にパッシブ測距といわれる測距方法を用いたもので、其の原理は広く知られているものであり、本出願人からも特開平９−２２９６７４号公報等の中で述べていることから其の詳細は省略するが、受光素子の信号出力から被写体の明るさを知ることも可能である。即ち、受光素子を構成する複数の光電変換素子が其の表面に当たる光量に応じて発生する信号電荷を所定時間Ｔ１だけ蓄積した後、電荷転送手段であるＣＣＤに転送し、ＣＣＤは其の転送クロックに応じて先の信号電荷を出力段まで順次転送する。出力段で其の信号電荷は信号電圧Ｖｓに変換されて測距回路１３に入力される。測距回路１３では各光電変換素子の信号電圧Ｖｓを用いて測距演算を行い被写体までの距離を求めるものである。ここで信号電圧Ｖｓは
Ｖｓ＝Ｋ＊Ｔ１＊光の強さ　（但し、Ｋ：比例定数）…▲１▼
である。よって、比例定数Ｋを事前に求めておくことで光の強さ即ち被写体の明るさは、蓄積する時間Ｔ１と信号電圧Ｖｓから求めることが可能である。
【００１６】
ところで図４は図１に示したカメラの測光装置の受光光路と測距装置の受光光路を模式的に表したものであり、この図面において８は被写体であってこの被写体の一点が測光素子１２、受光素子１１Ｒ、１１Ｌに投影されることを示している。即ち、測距装置は被写体８までの距離を測距し、測光装置は被写体８の周辺の明るさを測定している状態を表している。撮影範囲に対して各測光素子、受光素子が検出する範囲の概略を図６に示す。この光学系から被写体８上に測光素子１２Ｓ、受光素子１１Ｌ、１１Ｒを逆投影した投影像が図５に示す図面である。各々１２ＳＰ、１１ＬＰ、１１ＲＰで示す。１１ＬＰと１１ＲＰがＹ方向にずらしているのは説明の便宜上であり、実際にはＹ方向は一致するよう合せ込まれるものである。この図５に於いて１２ＳＰと１１ＬＰの光電変換素子３〜６、１１ＲＰの６〜９はほぼ同じ領域に存在する。即ち、測光素子１２Ｓが検出している領域と、受光素子１１Ｌの光電変換素子３〜６が検出する領域、受光素子１１Ｒの光電変換素子６〜９が検出する領域はほぼ等しいことになる。よって測光素子１２Ｓが検出する明るさ、受光素子１１Ｌの光電変換素子３〜６が検出する明るさ及び受光素子１１Ｒの光電変換素子６〜９が検出する明るさは、各受光光路が遮られていない限り概略等しくなる。一方何れかの光路が遮られると其の光路の受光素子若しくは測光素子が検出する明るさが、他の二つの明るさより暗いものとなる。
【００１７】
以上述べた構成を備えた図１に示すカメラの一駒撮影時のシーケンスを図７を用いて説明する。
【００１８】
Ｓ１：シャッターレリーズボタン３が第一ストロークまで押込まれてＳＷｌがＯＮになるのを待つ。
【００１９】
Ｓ２：受光素子１１Ｌと１１Ｒの各光電変換素子からの信号電荷を所定時間Ｔ１だけ蓄積し、測距回路１３にてその蓄積された電荷を電圧に変換した信号で１１Ｌ上の被写体像と１１Ｒ上の被写体像間の相関演算を行い、三角測量の原理から被写体までの距離を求める。
【００２０】
Ｓ３：Ｓ２で蓄積した信号電荷の中の所定の光電変換素子、１１Ｌの３〜６、１１Ｒの６〜９の信号電荷量を変換した電圧値を制御回路１０は測距回路１３を介して取込み、その平均値を演算し、其の演算結果を式▲１▼に代入して被写体の明るさを求める。即ち、制御回路１０は明るさ検出手段として作用する。更に１１Ｌで求めた被写体の明るさと１１Ｒで求めた被写体の明るさを比較する。二つの受光素子はほぼ同じ範囲を見ていることからその明るさに差異（例えば１段以上）があれば、蓄積された電荷量が少ない側の受光素子の受光光路が何らかの障害物に遮られていると判断する。即ち、制御回路１０は遮光検出手段として作用する。従って１１Ｒと１１Ｌの所定の位置の信号電荷から算出した明るさの差が所定の範囲以内であればＳ４へ移行し、差が所定の範囲より大きければＳ１０へ移行する。
【００２１】
Ｓ４：測光回路１４は測光素子１２を用いて被写体と其の周辺の明るさを測定して、制御回路１０へ明るさの測定値を送る。先に述べたように測光素子１２は三分割されたもので、１２Ｓは撮影範囲の中央付近を測光し、１２Ｃは撮影範囲の中央部付近を広く測光し、１２Ｐは撮影範囲の周辺部のみを測光する。制御回路１０はこれらの測光結果から被写体の順光、逆光状態などを判定して、適切な露光条件を算出する。
【００２２】
Ｓ５：制御回路１０はＳ４で得た１２Ｓの測光結果とＳ３で求めた測距装置の受光素子から求めた被写体の明るさとを比較する。先に述べたように１２Ｓの測光範囲と測距装置の所定の光電変換素子とは被写体のほぼ同じ範囲を見ていることから、同じ明るさが得られる筈であり、明るさの差異が所定値（例えば２段）以上であれば、何れかの受光光路が何らかの障害物によって遮られていると判断してＳ１０へ移行する。
【００２３】
Ｓ６：シャッターレリーズボタン３が第二のストロークまで押込まれて、ＳＷ２がＯＮとなるのを待つ。
【００２４】
Ｓ７：制御回路１０はＳ２で求めた被写体の距離に応じて、合焦用レンズの移動量を算出し、レンズ駆動装置１５で撮影レンズの合焦用レンズを算出された移動量だけ動かす。
【００２５】
Ｓ８：制御回路１０はＳ４で求めた露光条件でシャッター駆動装置を動かし、フィルムに露光させる。
【００２６】
Ｓ９：制御回路１０はフィルム駆動装置を駆動してフィルムを一助分巻き上げる。
【００２７】
Ｓ１０：測距装置の受光光路若しくは測光装置の受光光路が遮られるとこのステップに移行してくることから、表示装置１８の表示部に警告のマークを点滅させるとともに、発音体１９を駆動して警告音を発する。また、シャッターレリーズは行えない、即ちシャッターレリーズが禁止されることになる。
【００２８】
以上説明したごとく、一対の測距用の受光素子の明るさに関する情報を比較することにより、何れかの受光光路が遮られたことを検知することが可能で、其の場合には警告表示、警告音、レリーズの禁止等により撮影者に警告し、失敗写真が撮られることを防止できる。
【００２９】
また、測距用の受光素子の明るさに関する情報と、測光素子の明るさに関する情報とを比較することにより、何れかの受光光路が遮られたことを検知することが可能で、上記と同様な処理により失敗写真が撮られることを防止できる。
【００３０】
尚、被写体までの距離が変わると視差により測光素子が検出する範囲と測距用の受光素子が検出する範囲がずれてくる。この場合、測距結果に応じて測距用受光素子で被写体の明るさを検出する受光素子の位置を変更することで解決する。
【００３１】
【発明の効果】
以上説明したように本出願に係る発明によれば。被写体や其の周囲の明るさを測定する測光手段と、被写体までの距離を測距する測距手段が備える受光素子からの出力信号から被写体付近の明るさに関する信号を得る明るさ検出手段を有するカメラで、測光手段の出力信号と明るさ検出手段の出力信号とを比較し、其の比較結果から測光手段の受光光学系、測距手段の受光光路の何れかが遮られたことを検出する遮光検出手段を備えることにより、失敗写真を防止するための手段を講ずることが可能となる。
【００３２】
更に、一対の受光素子を備え、各受光素子の出力信号の大きさを比較し、其の比較結果より何れかの受光素子の受光光路が遮られたことを検出する遮光検出手段を備えたことを特徴とする測距装置では誤った測距結果を出力する為の手段を講ずることが可能となる。
【００３３】
更に、警告手段を備えることで、遮光検出手段が測距手段若しくは測光手段の受光光路が遮られたことを検出すると該警告手段にて警告するカメラとすることにより撮影者に注意を促すことが可能となる。
【００３４】
更に、測光手段の受光光学系、測距手段の受光光路の何れかが遮られた場合にカメラのシャッターレリーズを禁止することにより、失敗写真が撮影されることを防止することが可能になる。
【図面の簡単な説明】
【図１】本発明を具備するカメラの外観図。
【図２】本発明を具備するカメラのブロック図。
【図３】受光素子と測光素子。
【図４】測光光路と測距光路。
【図５】被写体上の測光素子、受光素子の投影像。
【図６】撮影範囲に対する受光素子、測光素子の検出範囲。
【図７】本発明を具備するカメラの撮影時のシーケンス図。
【符号の説明】
１　カメラの前面パネル
２　撮影レンズ
３　シャッターレリーズボタン
４　ファインダー対物レンズ
５　測距装置の受光レンズ
６　測距装置の受光レンズ
７　ＡＥ受光レンズ
８　被写体
１０　カメラの制御回路
１１Ｒ　測距装置の受光素子
１１Ｌ　測距装置の受光素子
１２　測光素子
１３　測距回路
１４　測光回路
１５　レンズ駆動装置
１６　シャッター駆動装置
１７　フィルム駆動装置
１８　表示装置
１９　発音体
２０　ＳＷ１
２１　ＳＷ２
２２　電源回路
【図１】
2004012497.tif 000003
【図２】
2004012497.tif 000004
【図３】
2004012497.tif 000005
【図４】
2004012497.tif 000006
【図５】
2004012497.tif 000007
【図６】
2004012497.tif 000008
【図７】
2004012497.tif 000009